(57)【要約】【課題】ノックを押したり、キャップ外す等の操作が不要で、筆記時のみペン先が突出し、筆記具を放すとペン先が没入する筆記具において、通常の筆記具の持ち方でこれを実現することを課題とする。【解決手段】操作部（２ｃ）を第１指（親指）と第２指（人差し指）で押圧操作することにより、係合部（２ｄ）の駆動斜面（５ｆ）が係合する。すると、カバー本体（５）が操作本体（２）に対して相対的に後方に移動し、ペン先が突出し、筆記可能な状態となる。第１指（親指）と第２指（人差し指）による操作部（２ｃ）の押圧を解除すると、係合部（２ｃ）が駆動斜面（５ｆ）と連設する規制段部（５ｈ）までカバー本体（５）が前進し、ペン先部（３ａ）が没入される状態となる。【選択図】  図１
2011046203.tif 000002
【特許請求の範囲】
【請求項１】
一端にペン先部を有する筆記芯と、
前記筆記芯が挿通する貫通孔を有するカバー本体と、
略Ｕ字状に形成され、開口部を一端側にして、Ｕ字状の底部から一端側に向かって延在する脚部を有し、前記脚部間に前記カバー本体が設けられる操作本体と、
前記底部から一端側に向かって立設し、前記筆記芯を保持するホルダーと、
前記カバー本体を前記筆記芯に対して摺動自在にガイドするガイド手段と、
前記カバー本体と前記ホルダー間に設けられ、前記カバー本体を前記ペン先部側に付勢する付勢手段と、
前記カバー本体の前記ペン先部側への移動を規制する規制部と、
前記脚部の前端に前記脚部と連設し、前記カバー本体に対して押圧操作可能に形成された操作部と、
前記カバー本体には、斜面状に形成される駆動斜面又は該駆動斜面と係合する係合部の何れか一方が設けられ、
前記駆動斜面又は前記係合部の何れか他方は前記操作部に設けられ、
前記操作部の押圧操作により前記カバー本体を前記筆記芯に対して前記筆記芯の他端側に移動させるように前記駆動斜面及び前記係合部を形成したことを特徴とする筆記具。
【請求項２】
前記筆記芯は、前記ペン先部と接続する長尺筒状に形成されたインクタンクを有し、
前記ガイド手段は、前記貫通孔と、前記インクタンクとで形成されたことを特徴とする請求項１記載の筆記具。
【請求項３】
前記規制部は、前記駆動斜面に連設して設けられるとともに、前記係合部と係合可能に形成された規制段部と、を有することを特徴とする請求項１又は２記載の筆記具。
【発明の詳細な説明】
【技術分野】
【０００１】
本発明は、筆記具を持ったときにはペン先が突出し、筆記具を離したときにはペン先が没入することができる筆記具に関する。
【背景技術】
【０００２】
従来から、筆記具を手で持つ動作によりペン先を突出し、非筆記時には、特別な操作をしなくても手から筆記具を離すことでペン先が没入する筆記具が提案されている。
【０００３】
特許文献１では、Ｕ字状の外ケース（２）の両側片（２ａ）間に筆記用リフィール（４）を備え、この筆記用リフィール（４）が挿入される挿入孔（９）を有する内ケース（３）が外ケース（２）の両側片（２ａ）間に摺動自在に嵌合する筆記具が提案されている。外ケース（２）と内ケース（３）間には、付勢手段（５）が設けられ、内ケース（３）を前方（筆記用リフィール（４）のペン先側）に付勢している。内ケース（３）は、カバー片（３ａ）の後端の係合段部（１１）が外ケース（２）に設けられる係止突部（１１）と当接することにより、前方への抜け止めがなされている。よって、非筆記時には筆記用リフィール（４）の先端（ペン先）は没入される。
【０００４】
一方、筆記時には、第１指（親指）と第３指（中指）により、内ケース（３）の側面（両カバー片（３ａ））を把持するとともに、第２指（人差し指）により、外ケース（２）の一方の側片（２ａ）を押さえ、かつ外ケース（２）の後端を、第２指（人差し指）の付け根付近に押し当てながら、内ケース（３）を外ケース（２）の両側片（２ａ）間に引き込ませる。この状態でペン先は突出し筆記可能となる。そして、この状態から筆記具（１）から手指を離すと、付勢手段（５）が内ケース（３）をペン先側へ付勢する付勢力により、再びペン先は没入されることとなる。
【先行技術文献】
【特許文献】
【０００５】
【特許文献１】特開２００１−３１５４８７
【発明の概要】
【発明が解決しようとする課題】
【０００６】
上述の筆記具（１）においてペン先の突出状態を保ち筆記するためには、第２指（人差し指）の付け根付近に外ケース（２）の後端を押し当てている必要がある。一方、筆記具の持ち方としては、第１指（親指）と第２指（人差し指）で摘むようにして筆記具を持ち、第３指（中指）の第１間接付近で筆記具を支持するのが一般的である。この一般的な筆記具の持ち方と比較すると、特許文献１記載の筆記具は、筆記時において、常に第２指（人差し指）の付け根付近に外ケース（２）の後端が当接することを意識して筆記しなければならない。さらに、一般的な筆記具の持ち方と異なる持ち方を強いるものであるので、たとえメモ程度の短時間の筆記であっても使い難いものとなる。
【課題を解決するための手段】
【０００７】
本発明は、一端にペン先部を有する筆記芯と、前記筆記芯が挿通する貫通孔を有するカバー本体と、前記カバー本体を前記筆記芯に対して摺動自在にガイドするガイド手段と、前記カバー本体をペン先部側に付勢する付勢手段と、前記カバー本体のペン先部側への移動を規制する規制部と、前記カバー本体に対して押圧操作可能に形成された操作部と、前記カバー本体には、斜面状に形成される駆動斜面又は該駆動斜面と係合する係合部の何れか一方が設けられ、前記駆動斜面又は前記係合部の何れか他方は前記操作部に設けられ、前記操作部の押圧操作により前記カバー本体を前記筆記芯に対して前記筆記芯の他端側に移動させるように前記駆動斜面及び前記係合部を形成したことを特徴とする筆記具、である。
【発明の効果】
【０００８】
本発明によれば、一般的な筆記具の持ち方をするだけで、筆記芯を突出させることができる。すなわち、一般的な筆記具の持ち方において使用する第１指（親指），第２指（人差し指），第３指（中指）の何れか、又は２又は３の指により操作部を押圧操作すれば、付勢部材の付勢力に反してカバー本体がペン先部を露出する方向に移動するので、ペン先部が突出する。そして、指を離すと、付勢部材の付勢力によりペン先は没入される。よって、筆記時のみペン先部が突出し、筆記具から手を離すとペン先部が没入され、特にメモ的な短時間の筆記に好適な筆記具であるとともに、特異な持ち方を強いない、自然な持ち方で筆記することができる筆記具を構成することができる。
【図面の簡単な説明】
【０００９】
【図１】本発明の実施例１に係る筆記具の縦断面図であり、ペン先部が没入した状態（定常状態）を示す図である。
【図２】図１に対して、操作部を押圧操作し、ペン先部を突出させた状態（筆記状態）を示す縦断面図である。
【図３】本発明の実施例１に係る筆記具の外観を示す正面図である。
【図４】図３に対する左側面図である。
【発明を実施するための形態】
【００１０】
以下、図面を参照しつつ本発明の実施例について説明する。なお、以下の説明において、前方向は、ペン先部（３ａ）側の方向を指す。
【実施例１】
【００１１】
図１〜図４に、本発明にかかる筆記具１を示す。図１はペン先部３ａが没入した定常状態を示す筆記具１の縦断面図である。筆記具１は、開口側を前方側にした略Ｕ字状（換言すれば、二股状）に形成される操作本体２を有する。
【００１２】
操作本体２のＵ字状の底部である基部２ａは平板状に形成されている。基部２ａの両端からは、前方に向けて脚部２ｂが延在している。脚部２ｂの前方側端部には、操作部２ｃが連設されている。脚部２ｂと操作部２ｃの外面は、連続した平面状に形成されている。操作本体２は、その全体を合成樹脂材料により形成される。よって、脚部２ｂは弾性を有する。ゆえに、脚部２ｂは、操作部２ｃの押圧操作により弾性変形されるとともに、操作部２ｃの押圧力の解除により、弾性変形される前の形態に復帰することができる。
【００１３】
脚部２ｂ間には、筆記芯３を支持するホルダー４が基部２ａから前方に向けて立設する。一方、筆記芯３は、一端側にペン先部３ａと、ペン先部３ａの後端に連設するインクタンク３ｂとにより構成されている。そして、ホルダー４の前方側端部に設けられた開口孔４ａには筆記芯３（インクタンク３ｂ）の後部が適度な嵌合力により圧入されている。ここで、適度な嵌合力とは、筆記芯３を支持しつつ、手動操作により筆記芯３を引き抜き、筆記芯３の交換をすることができる程度の嵌合力のことをいう。
【００１４】
なお、本実施例においては、ペン先部３ａは金属製のボールペンチップである。インクタンク３ｂは、金属円筒パイプ材料にて形成されている。
【００１５】
一方、筆記具１にはカバー本体５が設けられている。カバー本体５には、全体を略角筒状に形成されたカバー本体部５ａが設けられている。このカバー本体部５ａの両側面には、前方側の左右上下の４箇所に側板５ｂ、及び後方側の左右上下の４箇所に側板５ｃが設けられている（図４参照）。カバー本体５は、全体を合成樹脂材料により形成されている。
【００１６】
カバー本体部５ａには、長手方向前後を通じて丸孔状に貫通孔５ｄが設けられている。そして、この貫通孔５ｄには、筆記芯３が挿通される。より詳細には、ペン先部３ａと貫通孔５ｄとは接触していないが、インクタンク３ｂと貫通孔５ｄとは、摺動可能に形成される。換言すると、カバー本体５は、筆記芯３（インクタンク３ｂ）に対して前後方向（筆記芯３の長手方向）に摺動自在にガイドされているといえる。すなわち、筆記芯３（インクタンク３ｂ）と貫通孔５ｄにより、ガイド手段７が形成されているのである。
【００１７】
貫通孔５ｄの後方側には、バネ受け段部５ｅが円環状に設けられている。このバネ受け段部５ｅと、バネ受け段部５ｅと対向する基部２ａとの間には、ホルダー４及び筆記芯３（インクタンク３ｂ）に対して周設するように付勢手段であるコイルスプリング６が弾発して設けられている。よって、カバー本体５は、操作本体２に対して前方に付勢されている。
【００１８】
カバー本体部５ａの上下の外面には、それぞれ駆動斜面５ｆが設けられている。この駆動斜面５ｆは、カバー本体部５ａの外面に対して鋭角をなして設けられている。そして、駆動斜面５ｆの前方側の端部には、係合段部５ｇが連設されている。係合段部５ｇは、駆動斜面５ｆから筆記芯３方向（軸心方向）へ向けて段部が形成されている。一方、駆動斜面５ｆの後方側の端部には、規制段部５ｈが連設されている。規制段部５ｈは、筆記芯３に対して外方向（軸心に対して外方向）に向けて段部が形成されている。
【００１９】
一方で、操作本体２の操作部２ｃにおける内側面は、傾斜面２ｃ１を有し、カバー本体部５ａの外面に対して鋭角に設けられている。そして、傾斜面２ｃ１の後方側の端部は、脚部２ｂに連設するよう角状に形成される。この角状に形成された部分は、駆動斜面５ｆと係合する係合部２ｄとなる。
【００２０】
図１に示すペン先部３ａが没入される定常状態においては、係合部２ｄが規制段部５ｈと係合することにより、カバー本体５の前方側への付勢を規制している。
【００２１】
なお、側板５ｂ，５ｃは、それぞれ操作部２ｃ，脚部２ｂの側面と、近接又は接触して設けられている。よって、ガイド手段７（筆記芯３（インクタンク３ｂ），貫通孔５ｄ）により可能とされているカバー本体５の前後の摺動を補助的にガイドしている。これにより、操作本体２に対するカバー本体５の摺動時のブレを低減している。
【００２２】
次に、本発明に係る筆記具１の動作を説明する。
図１に示す定常状態では、ペン先部３ａは没入している。換言すると、ペン先部３ａは、カバー本体５によりカバーされている。そして、筆記をするためには、第１指（親指）と第２指（人差し指）で、操作部２ｃの平坦な外面を挟むように（摘むように）して持つ。すると、脚部２ｂの弾性変形と相俟って、操作部２ｃがそれぞれ内側に押圧される。これにより、係合部２ｄは駆動斜面５ｆと当接する。係合部２ｄが駆動斜面５ｆと当接し、なおも操作部２ｃに内側への押圧力が掛ることで、コイルスプリング６の付勢力に抗して、係合部２ｄは駆動斜面５ｆ上を相対的に前方側に移動する。換言すると、駆動斜面５ｆが相対的に係合部２ｄに対して後方側に移動する。よって、カバー本体５は、操作本体２に対して後方側へ移動することとなる。
【００２３】
係合部２ｄが駆動斜面５ｆの前端に到達すると、駆動斜面５ｆ（カバー本体５）の後方移動が終了する。駆動斜面５ｆ（カバー本体５）の後方移動の終了と同時に、係合部２ｄは、係合段部５ｇと係合する。この状態がペン先部３ａが突出した状態（筆記状態）となる。図２にこのペン先部３ａ突出状態を示す。
【００２４】
筆記等して筆記具１の使用後に、第１指（親指）と第２指（人差し指）による操作部２ｃの押圧操作を解除すると、脚部２ｂの弾性力により操作部２ｃは外側へ移動（復帰）する。すると、係合部２ｄと係合段部５ｇの係合が解除されるとともに、コイルスプリング６の付勢力により、係合部２ｄが規制段部５ｈと係合する位置までカバー本体５が前方へ移動する。すなわち、ペン先部３ａが没入される定常状態（図１）へと復帰する。
【００２５】
このようにして、後端部のノックを押したりキャップを外す等の操作なく筆記具を使用することができるので、短時間のメモ書き等には好適である。さらには、通常筆記具を持つ操作の如く、第１指（親指）と第２指（人差し指）により摘むようにして筆記具を持つことができるので、違和感無く筆記具を使用することができる。
【００２６】
なお、本実施例のうち、係合段部５ｇを設けなくても、操作部２ｃの押圧操作によるカバー本体５の後方移動及びペン先部３ａを突出させ筆記することは可能である。しかし、この場合、第１指（親指）と第２指（人差し指）で筆記時も強めに操作部２ｃを押圧する必要がある。本実施例のように係合段部５ｇが設けられていれば、ある程度指の力を抜いても、係合部２ｄと係合段部５ｇが係合しているので、カバー本体５の前方への移動を補助的に規制することができる（筆記時移動規制補助手段８）。換言すれば、カバー本体５の前方への移動は操作部２ｃの押圧により規制されているが、さらに係合部２ｄと係合段部５ｇの係合により、補助的に、カバー本体５の前方への移動が規制されている。
【００２７】
また、筆記芯３を交換する場合には、操作部２ｃを外側に若干押し広げることにより、係合部２ｄと規制段部５ｈの係合を解除して、カバー本体５を前方に引き抜く。すると、筆記芯３をホルダー４（開口孔４ａ）から引き抜き交換することができる。交換後、再び筆記芯３をカバー本体５の貫通孔５ｄに挿通し、係合部２ｄが規制段部５ｈに係合するまでカバー本体５を押し込めば、筆記芯３の交換操作は終了する。このとき、カバー本体部５ａ上の駆動斜面５ｆの後方に設けられ、カバー本体５ａ外面に対して鈍角状に形成された傾斜面５ｉと、操作部２ｃ内側面に形成された傾斜面２ｃ１が当接し、操作部２ｃを外側へ押し広げる変形を案内する。
【００２８】
以上の実施例１は、本発明の好適な実施形態であるが、本発明は上記実施例１に限定されるものではなく、他の構成においても実施することができる。
【００２９】
例えば、本実施例では操作部２ｃは２箇所設けられているが、例えば第２指（人差し指）のみで操作できるよう、１箇所に設けられるものとしてもよい。また、第１指（親指）、第２指（人差し指）、第３指（中指）で把持できるよう、操作部２ｃを３箇所設けてもよい。
【００３０】
さらに、本実施例では、操作部２ｃに係合部２ｄを設け、カバー本体５に駆動斜面５ｆを設けたが、これを逆にして、押圧操作する側（操作部）に駆動斜面、係合段部、規制段部を設け、対応するカバー本体に当該駆動斜面と係合する係合部を設けることもできる。
【００３１】
本実施例ではカバー本体５や操作本体２全体を角筒状に形成したが、円筒状等の任意の形態を採ることができる。
【００３２】
本実施例では、ガイド手段７として、カバー本体５の貫通穴５ｄが筆記芯３のインクタンク３ｂと摺動して、前後に移動可能に形成されているが、他の実施例としては、ガイドレールとこれにガイドされる摺動突起等をカバー本体５及び操作本体２にそれぞれ設けてもよい。ただし、本実施例のように、インクタンク３ｂと貫通孔５ｄによるカバー本体５のガイドであれば、ガイドレール等を設けるよりも部材の成形や組立等の面で製造コストが低く好適である。特に、本実施例では、インクタンク３ｂを金属製としていることから、堅牢性があるので、ガイドを確実に行うことができる。しかし、インクタンク３ｂを比較的硬質な合成樹脂材料等の他の材料とすることもできる。
【００３３】
なお、筆記芯３はボールペンに限定されるものではなく、シャープペンシル、マーキングペン等各種筆記芯を適用することもできる。
【００３４】
さらに、本実施例では、カバー本体５の前方への規制は、係合部２ｃと規制段部５ｈの係合によるが、これとは別に、例えば操作本体２とカバー本体５に係合部、被係合部を設けて、規制部を構成することもできる。すなわち、カバー本体５の前方への移動を規制する手段が講じられていればよい。
【００３５】
また、本実施例では、操作部２ｃは脚部２ｂと連設しているが、コイルスプリング等を利用して、個別に操作部を形成してもよい。すなわち、駆動斜面に対する押圧操作が可能で、押圧解除により復帰する構成であればよい。
【００３６】
本実施例では、付勢手段としてコイルスプリング６を用いたが、その他の付勢手段、例えば板バネ、エアダンパ等種々のものを用いることができる。
【００３７】
また、上記の筆記時にカバー本体５が前方へ移動してしまうことを規制する手段（筆記時移動規制手段８）は、本実施例では係合部２ｄと係合段部５ｇとにより形成したが、他の実施例としては以下のものが挙げられる。例えば、傾斜面２ｃ１と、筆記時（ペン先３ａ突出時、図２参照）に傾斜面２ｃ１がカバー本体５ａと当接する面の両方又は何れか一方の面を荒く仕上げたり、熱可塑性エラストマーやゴム材料により形成することもできる。この場合、傾斜面２ｃ１と、傾斜面２ｃ１と筆記時に当接するカバー本体５ａの外面との間に摩擦力が発生するので、筆記時にある程度指の力を抜いても、カバー本体５の前方への移動を規制することができる。
【符号の説明】
【００３８】
２      操作本体
２ｂ    脚部
２ｃ    操作部
２ｄ    係合部
３      筆記芯
３ａ    ペン先部
３ｂ    インクタンク
５      カバー本体
５ｄ    貫通孔
５ｆ    駆動斜面
５ｇ    係合段部
５ｈ    規制段部
６      コイルスプリング
７      ガイド手段
８      筆記時移動規制補助手段
【図１】
2011046203.tif 000003
【図２】
2011046203.tif 000004
【図３】
2011046203.tif 000005
【図４】
2011046203.tif 000006